Podtech/llm-jp-corpus-v4-ja_patent huggingface dataset:
(57)【要約】【課題】  エレベーターの駆動装置や制御器に故障が生じ、搭乗室及び昇降路の全ての出入口の戸が閉じる前に搭乗室が上昇、下降をすることを防止する。【解決手段】  駆動しているメインロープ５とは別に、搭乗室１と釣合い重り２をサブロープ６でつなぎ、搭乗室１と釣合い重り２の重量差以上の荷重をプーリー付無励磁作動ブレーキ７にて保持する構造である。【選択図】図１
2012066935.tif 000002
【特許請求の範囲】
【請求項１】
従来は搭乗室１と釣合い重り２にメインーロープ５を結び、ブレーキ付き駆動装置３とそらせ車４にて駆動しているが、メインロープ５とは別に、搭乗室１と釣合い重り２をサブロープ６でつなぎ、搭乗室１と釣合い重り２の重量差以上の荷重をプーリー付き無励磁作動ブレーキ７にて保持するエレベーター。
【発明の詳細な説明】
【技術分野】
【０００１】  本発明は、エレベーターが停止位置にある時、駆動装置や制御機が故障しても、扉が開いた状態で搭乗室が動かないようにする補助装置に関するものである。
【背景技術】
【０００２】  従来品のエレベーターは、停止を維持する為に、駆動装置にブレーキを取付けていた。
【発明の概要】
【発明が解決しようとする課題】
【０００３】  従来のものは、次のような欠点があった。
イ  駆動装置のブレーキは、磨耗が生じる。
ロ  １個の停止装置しか取付けていない。
ハ  ロープをグリップする方式は、ロープが変形し及びロープ内の油で保持力が安定しない。
以上の欠点を改善する為に次の発明をした。
【課題を解決するための手段】
【０００４】  駆動しているメインロープ５とは別に、搭乗室１と釣合い重り２をサブロープ６でつなぎ、搭乗室１と釣合い重り２の重量差以上の荷重をプーリー付き無励磁作動ブレーキ７にて保持する構造である。
【発明の効果】
【０００５】  従来の停止装置に、重複して停止装置を取付けることにより二重安全装置となる。
【図面の簡単な説明】
【０００６】
【図１】  本発明の原理説明図
【発明を実施するための形態】
【０００７】  以下に本発明の実施形態を説明します。
イ  搭乗室１と釣合い重り２をサブロープ６でつなぐ。
ロ  ブレーキ付き駆動装置３の場所に、搭乗室１と釣合い重り２の重量差以上の荷重を保持する、プーリー付き無励磁作動ブレーキ７を設ける。
以上のような構造をしている。
これによりブレーキ付き駆動装置３のブレーキが作動しなくなった時でも、エレベーターが停止した時及び停電時においても常時、サブロープ６を介して、プーリー付き無励磁作動ブレーキ７にて停止している。
又、サブロープ６には、歯付き平ベルト、平ベルト、ワイヤーロープ或は繊維ロープを使用することが出来る。
【符号の説明】
【０００８】１    搭乗室
２    釣合い重り
３    ブレーキ付き駆動装置
４    そらせ車
５    メインロープ
６    サブロープ
７    プーリー付き無励磁作動ブレーキ
【図１】
2012066935.tif 000003
(57)【要約】【課題】  洗濯の折に他の洗濯物にマジックテープがくっつく事、縫製が複雑な事を解消し、着脱も簡単にし、使用中に本体からずれにくい替えモップを提供する。【解決手段】替えモップを、モップのヘッドにあわせたサイズの２枚の生地を、中央部分を残して縫い合わせる形状にする。【選択図】図１
2012066043.tif 000002
【特許請求の範囲】
【請求項１】
替えモップの形状＝２枚の生地を中央を残して縫い合わせた部分
【発明の詳細な説明】
【技術分野】
【０００１】  この発明は、替えモップを着脱簡単でずれない、両面使えて、縫製も簡単にしたものである。
【背景技術】
【０００２】  従来の替えモップはカーブなどをパイピングでくるみ縫製が複雑で、着脱に使用するマジックテープが洗濯の折に他のものにくっついた。そしてモップをかけているときに、本体からだんだんずれていった。そして片面しか使えなかった。
【先行技術文献】
【０００３】
【特許文献１】
【非特許文献１】
【発明の概要】
【発明が解決しようとする課題】
【０００４】  従来の替えモップは縫製が複雑で、着脱に使用するマジックテープが洗濯の折他の洗濯物にくっつき、モップを使用している間本体からずれていくのを解消するためになされたものである。
【課題を解決するための手段】
【０００５】  替えモップを直線縫いだけにすることによって縫製を簡単にした。また形状が両面ともモップ生地になっている。マジックテープも使わず簡単に着脱できるようにした。
【発明の効果】
【０００６】  替えモップを直線縫いだけにしたので縫製が簡単になった。またマジックテープを使ってないので、洗濯の折に他のものにくっついたりしなくなった。両面使えるので洗濯の回数が半分になり経済的である。上面もモップ生地になっているので、モップ本体を替えモップがカヴァーしている形になり、使用しているとき家具や家を傷つけることがない。着脱も、替えモップの穴からモップの柄を通すだけなので簡単である。
【図面の簡単な説明】
【０００７】
【図１】本発明の斜面図である。
【図２】本発明をモップ本体に取り付ける過程の図
【図３】本発明をモップ本体に取り付けた図
【発明を実施するための形態】
【０００８】  以下、本発明を実施するための最良の形態について説明する。
替えモップに使用する生地をモップのヘッドのサイズより、縫い代の分も含め３センチ以上の余裕を持って切断する。周りをほつれない様に処理する。２枚を縫い合わせて筒状にする。その際両方の縫い目とも中央を縫い合わせず開けておく。替えモップを取り付けるモップ本体の柄の部分が出せる程度に開けておく。
【符号の説明】
【０００９】１  替えモップ使用面
２  替えモップをつける本体の柄が出る部分
３  縫い目
【図１】
2012066043.tif 000003
【図２】
2012066043.tif 000004
【図３】
2012066043.tif 000005
(57)【要約】【課題】  本発明では、鍋やフライパンの蓋を立てるための補助具を洗濯バサミ状にし、簡単な操作で蓋の取手部分への取り付け、取り外しができるように工夫した、お玉・菜箸も置ける着脱式蓋スタンドを提供する。【解決手段】  本体（１）、本体（２）は洗濯バサミ状に組み合わさっていて、洗濯バサミ状のスプリング（３）を設け、本体（１）、本体（２）の先端の一方は４つ爪の挟み部（４）を設け、本体（１）、本体（２）の先端のもう一方は上部に溝ａ（７）を付けた取手部ａ（５）と蓋を支える足として適度な幅と長さのある取手部ｂ（６）を設け、取手部ｂ（６）も先端に溝ｂ（８）を設け、取手部ａ（５）と取手部ｂ（６）の溝ａ（７）溝ｂ（８）は、挟み部（４）の先端が作る面となるべく水平になるよう設け、取手部ｂ（６）は、安定的に蓋を支えられる角度、長さに設けたことを特徴とする、お玉・菜箸も置ける着脱式蓋スタンド。【選択図】図１
2012066044.tif 000002
【特許請求の範囲】
【請求項１】
本体（１）、本体（２）は洗濯バサミ状に組み合わさっていて、洗濯バサミ状のスプリング（３）を設け、本体（１）、本体（２）の先端の一方は４つ爪の挟み部（４）を設け、本体（１）、本体（２）の先端のもう一方は上部に溝ａ（７）を付けた取手部ａ（５）と蓋を支える足として適度な幅と長さのある取手部ｂ（６）を設け、取手部ｂ（６）も先端に溝ｂ（８）を設け、取手部ａ（５）と取手部ｂ（６）の溝ａ（７）溝ｂ（８）は挟み部（４）を開いた際、、挟み部（４）の先端が作る面となるべく水平になるよう設け、取手部ｂ（６）は、安定的に蓋を支えられる角度、長さに設けたことを特徴とする、お玉・菜箸も置ける着脱式蓋スタンド。
【発明の詳細な説明】
【技術分野】
【０００１】  本発明では、鍋やフライパンの蓋を立てるための補助具を洗濯バサミ状にし、簡単な操作で蓋の取手部分への取り付け、取り外しができるように工夫した、お玉・菜箸も置ける着脱式蓋スタンドに関するものである。
【背景技術】
【０００２】  従来、鍋やフライパンの蓋は、調理中や配膳中、一時的に鍋やフライパンから外して置いておく際、広いスペースを使って置くか、または、蓋を置くために蓋置きを別に用意するなどしていた。
また、蓋を立てて置くための補助具を取り付けた蓋が市販されている（特許文献１）。
なお、蓋に着脱可能な補助具（特許文献２参照）も開発されている。
鍋やフライパンの蓋同様、菜箸やお玉等の調理器具も調理中や配膳中一時的に置いておく際、無造作に鍋の中に入れておいたり、菜箸お玉置きを別に用意するなどしていた。
【先行技術文献】
【０００３】
【特許文献１】  特開２００２−３２０５５２号公報
【特許文献２】  特開２００１−３５３０８６号公報
【発明の概要】
【発明が解決しようとする課題】
【０００４】  以上に述べた蓋を立てて置くための補助具は、次のような問題点があった。
補助具が固定されているものは、蓋の買い替えが必要で費用がかかる、すでに持っている蓋が無駄になる。
補助具が固定されているものは、補助具を外せないため、洗浄、収納の際、邪魔になる。
着脱可能な補助具は、スリットを蓋の取っ手のネック部にはめるもので、様々な形状の取っ手に緩みなく取り付けることが難しい。
鍋やフライパンの蓋同様、菜箸やお玉も調理中や配膳中、一時的に置いておく際、簡単に安定して置くためには、菜箸お玉置等を用意しなければならず面倒であった。
本発明は、これらの問題点を解決するためになされたものである。
【課題を解決するための手段】
【０００５】（イ）本体（１）、本体（２）は洗濯バサミ状に組み合わさっていて、洗濯バサミ状のスプリング（３）を設ける。
（ロ）本体（１）、本体（２）の先端の一方は４つ爪の挟み部（４）を設ける。
（ハ）本体（１）、本体（２）の先端のもう一方は上部に溝ａ（７）を付けた取手部ａ（５）と蓋を支える足として適度な幅と長さのある取手部ｂ（６）を設ける。
（ニ）取手部ｂ（６）も先端に溝ｂ（８）を設ける。
（ホ）溝ａ（７）溝ｂ（８）は、挟み部（４）を開いた際、挟み部（４）の先端が作る面となるべく水平になるよう設ける。
（ヘ）取手部ｂ（６）は、安定的に蓋を支えられる角度、長さに設ける。
本発明は、以上のような構成のお玉・菜箸も置ける着脱式蓋スタンド。
【発明の効果】
【０００６】  本発明により、鍋やフライパンから蓋を外したとき、立てて置くことができ、調理スペースを広く使うことができる。
挟み部を４つ爪にすることで様々な形状の取手を緩みなく挟むことができ、１つの補助具でいろいろな蓋に取り付けることができる。
また、つまみ部に菜箸やお玉を置くことのできる溝を設けたので、蓋を閉めた際、菜箸お玉を置くことができる。
また、洗濯バサミ同様に動くため簡単な操作で着脱することができ、蓋を洗ったり、収納したりする際にもじゃまにならない。
ひとつあればいろいろな蓋に付け替えて使えるため経済的である。
【図面の簡単な説明】
【０００７】
【図１】  本発明の斜視図である。
【発明を実施するための形態】
【０００８】  以下、本発明の実施の形態について説明する。
（イ）本体（１）、本体（２）は洗濯バサミ状に組み合わさっていて、洗濯バサミ状のスプリング（３）を設ける。
（ロ）本体（１）、本体（２）の先端の一方は４つ爪の挟み部（４）を設ける。
（ハ）本体（１）、本体（２）の先端のもう一方は上部に溝ａ（７）を付けた取手部ａ（５）と蓋を支える足として適度な幅と長さのある取手部ｂ（６）を設ける。
（ニ）取手部ｂ（６）も先端に溝ｂ（８）を設ける。
（ホ）溝ａ（７）溝ｂ（８）は、挟み部（４）を開いた際、挟み部（４）の先端が作る面となるべく水平になるよう設ける。
（ヘ）取手部ｂ（６）は、安定的に蓋を支えられる角度、長さに設ける。
本発明は、以上のような構造である。
本発明を使用するときは、取手部ａ（５）と取手部ｂ（６）を近づけ挟み部（４）を開き、鍋やフライパンの蓋の取っ手を挟み部（４）で挟み取り付ける。
蓋を閉めているときは、取手部ａ（５）と取手部ｂ（６）の溝ａ（７）溝ｂ（８）にお玉や菜箸を置くことができる。
蓋を開けた時は取手部ｂ（６）の先端と蓋の一点が接地するようにして蓋を立てて置く。
【符号の説明】
【０００９】  １  本体
２  本体
３  スプリング
４  挟み部
５  取手部ａ
６  取手部ｂ
７  溝ａ
８  溝ｂ
【図１】
2012066044.tif 000003
(57)【要約】【課題】  従来の片手用の柄付き清掃具の場合、その構造的要因から作業者が加える力が擦る面に有効に伝わりにくく、汚れが落ちにくかったり、作業者の手首に負荷がかかりすぎる問題があった。【解決手段】  本発明の柄付き清掃具では、図３のように柄３ｃの一端に弾性を備える環状または半環状の腕支持部３ｄを設け、その腕支持部３ｄに腕を通して柄３ｃを握ることができる構造にする。この構造により、腕支持部３ｄと腕の接点が支点となり、梃子の原理によって、腕の力やかけた体重が有効に摺擦部３ａにより有効に伝わる。【選択図】図３
2012066041.tif 000002
【特許請求の範囲】
【請求項１】
摺擦部とそれに連結した柄からなる片手用の柄付き清掃具において、柄の他端が、短径１０〜２０ｃｍの環状をなす腕支持部を備えた清掃具。
【請求項２】
請求項１において柄の中間に突起状のグリップを備えた清掃具。
【請求項３】
請求項１において柄と環状の腕支持部の間に、柄と直交方向に長い棒状グリップを備えた清掃具。
【請求項４】
請求項１、２、３において、柄の他端が、短径１０〜２０ｃｍの一端が開いた半環状をなす腕支持部を備えた清掃具。
【発明の詳細な説明】
【技術分野】
【０００１】  この発明は、柄付き清掃具の中で、特に片手で使用する形態の清掃具に関するものである。
【背景技術】
【０００２】  柄付き清掃具は、浴槽など水槽の清掃、窓ガラスや床面の清掃などに広く用いられている。楽な姿勢で手が届きにくい箇所を清掃するために、ブラシやスポンジなどの摺擦材に柄を取り付け、洗剤等を付け摺擦することで清掃するものである。【０００３】  フロア用など長い柄付き清掃具で両手が使える場合は、ひどい汚れも体重をかけて擦り取ることは容易である。しかるに浴槽用など片手で擦る形態の柄付き清掃具の場合、力が入りにくく、手首にかなりの疲労負担がかかることがある。その差は力学的に説明ができる。図１はフロア用の長い柄付き清掃具の、力学的構造を簡略的に示したものである。支点１ｂを片手でしっかり保持し、もう片方の手で力点１ａを体重をかけ押すことで、作用点１ｃに強い圧力をかけることが可能である。対して図２は浴槽用など片手で擦る形態の柄付き清掃具の力学的構造を簡略的に示したものであるが、作用点２ｃに圧力をかけるためには支点２ｂの薬指と小指を強く握り、力点２ａの人差し指を強く押す必要がある。しかし力点２ａと支点２ｂの距離が、作用点２ｃと支点２ｂの距離に対し極めて短いために、力が有効に伝わりにくく、手首にも強い負荷がかかってしまう。
【先行技術文献】
【特許文献】
【０００４】
【特許文献１】  実登３００８８０９公報
【特許文献２】  特許３１４３６１８公報
【特許文献３】  実公昭３１４３６１８公報
【発明の概要】
【発明が解決しようとする課題】
【０００５】  従来の片手用の柄付き清掃具の場合、その構造的要因から作業者が加える力が擦る面に有効に伝わりにくく、汚れが落ちにくかったり、作業者の手首に負荷がかかりすぎる問題があった。本発明の目的は、両手用柄付き清掃具の梃子構造をヒントに、子供や女性また高齢者など、握力や手首の力の弱い作業者でも楽に清掃作業ができるような構造を備えた片手用の柄付き清掃具を提供することにある。
【課題を解決するための手段】
【０００６】  本発明の柄付き清掃具では、図３に示すように柄３ｃの一端に樹脂や金属素材など曲げ弾性を備える環状または半環状の腕支持部３ｄを設け、その腕支持部３ｄに腕を通して柄３ｃを握ることができる構造にする。この構造により、腕支持部３ｄと腕の接点が支点となり、梃子の原理によって、連結部３ｂを介し、腕の力やかけた体重が摺擦部３ａにより有効に伝わる。【０００７】  図４は浴槽清掃を例に、その力学的構造を簡略的に示したものである。力点４ａと支点４ｂの距離が、従来の片手用の柄付き清掃具と比べ相対的に離れたことで、作用点４ｃに対しより力が伝わりやすく、また体重もかけやすくなり、楽に汚れを擦り取ることが可能になる。腕支持部３ｄ（図３）に弾性を持たせることにより、しなりによって作業者の腕にかかる負荷が分散され、また作用点４ｂと清拭面の密着性も高めることができる。
【図面の簡単な説明】
【０００８】
【図１】両手で擦る柄付き清掃具の使用状態参考図
【図２】従来の片手で擦る形態の柄付き清掃具の使用状態参考図
【図３】本発明の柄付き清掃具の説明図
【図４】本発明の清掃具での浴槽清掃時の使用状態説明図
【図５】本発明の清掃具の外観例（突起グリップ付き）
【図６】本発明の清掃具の外観例（グリップなし）
【図７】本発明の清掃具の外観例（棒状グリップ付き）
【図８】本発明の清掃具の外観例（半環状の腕支持部）
【発明を実施するための形態】
【０００９】  本発明は、図３のように、腕支持部３ｄに腕を通して柄３ｃを握る構造のため、腕と柄が成す角度は制限される。そこで清拭面に摺擦部３ａを正対させるために、連結部３ｂは可動的に接続することが望ましい。この接続方法については例えば先行技術（特許３１４３６１８）などがある。
【００１０】  柄の握り方は、図６のように柄をそのまま掴む形態以外にも、例えば浴槽のように様々な角度を持つ清掃対象面に対応する場合などは、図５の突起状グリップ５ａ、あるいは図７の棒状グリップ７ａなどの形態が、作業者の姿勢に自由度が生まれ、適している。
【００１１】  図３において腕支持部３ｄは、曲げ弾性を備える素材で作られた環状形態をなす。この形態は環状に限らず、図８のように半環状でも良い。また弾性的特徴は必ずしも腕支持部のみが持つ必要はなく柄全体で備えれば良い。
【符号の説明】
【００１２】１ａ    力点
１ｂ    支点
１ｃ    作用点
２ａ    力点
２ｂ    支点
２ｃ    作用点
３ａ    摺擦部
３ｂ    連結部
３ｃ    柄
３ｄ    腕支持部
４ａ    力点
４ｂ    支点
４ｃ    作用点
５ａ    突起状グリップ
７ａ    棒状グリップ
【図１】
2012066041.tif 000003
【図２】
2012066041.tif 000004
【図３】
2012066041.tif 000005
【図４】
2012066041.tif 000006
【図５】
2012066041.tif 000007
【図６】
2012066041.tif 000008
【図７】
2012066041.tif 000009
【図８】
2012066041.tif 000010
(57)【要約】【課題】フード付き衣類を洗濯後、干し具として使用すれば、フード周辺の乾燥を速やかにし、形くずれを防止するハンガーないしその部材。【解決手段】ハンガー本体とフード掛け部を回転可能なかけ止め具でつなぎ、ハンガー本体肩部左右に設けた傾斜ある切り欠き部で、フード掛け部を支える。また、ハンガー本体に切り欠き部を作らない場合、フード掛け部に溝を設けることでハンガー本体に着止でき、フード掛け部を支えることができる。【選択図】図３
2012066039.tif 000002
【特許請求の範囲】
【請求項１】
ハンガー本体とフード掛け部をハンガー本体に作ったかけ止め具でつなぎ、ハンガー本体肩部に切り欠き部をもつフード付き衣類用ハンガー。
【請求項２】
ハンガー本体とフード掛け部をハンガー本体に作ったかけ止め具でつなぎ、フード掛け部に作った溝によってハンガー本体と着止されるフード付き衣類用ハンガー。
【発明の詳細な説明】
【技術分野】
【０００１】本発明は、フード付き衣類のフードを上に持ち上げ、広げた状態で干したり、収納したりできる開閉可能なフード付き衣類用ハンガー並びにその部材に関するものである。
【背景技術】
【０００２】現状において、フード付き衣類を洗濯した後に干して乾かす際には、これをハンガーに掛けて自然乾燥を待つ方法である。また、略Ｖ字状の屈曲棒材の両端をハンガー本体の両横部に回動可能状に取り付けるとともに、ハンガー本体に着止する着止部を片端に有する着止棒材の他端を該屈曲部材の中央突出箇所に回動可能状に取り付けたフード付衣服用ハンガーに関する発明が知られている（特許文献１）。
【先行技術文献】
【０００３】
【特許文献１】実用新案登録３１２２８６８号公報
【発明の概要】
【発明が解決しようとする課題】
【０００４】フード付き衣類をハンガーに掛けて干す場合、フード部分が折れ曲がって背中部分と重なるため、その重なった部分の乾燥に時間がかかり、早期の使用が困難であった。立体に干す事で乾燥しやすくなるが、先述した特許文献１では、フードを干す角度が高い位置に安定した状態で保つ事が困難であり、フード掛け部を簡単に折りたたむ事も困難であった。本発明は、この問題点を解決するものである。
【課題を解決するための手段】
【０００５】ハンガー本体とフード掛け部をハンガー本体前部に付けられたかけ止め具によってつなぐ。ハンガー本体の肩部左右には、傾斜のある切り欠き部を設ける。フード掛け部を後ろに回転させた際、この切り欠き部がフード掛け部の支えとなり、フード掛け部は安定した角度を保つことができるハンガーである。【０００６】あるいはフード掛け部の、ハンガー本体肩部と重なる部分に溝をつける。フード掛け部を後ろに回転させた際、この溝によってハンガー本体と着止された状態になり、フード掛け部が安定した状態を保つことができるハンガーである。
【発明の効果】
【０００７】この発明によれば乾燥に手間どったフード付衣類のフード部は持ち上げて干すことができるため、通風が良くなり、乾燥が早くなるばかりでなく、形くずれも防止する。また、フード掛け部を前に戻すことで普通のハンガーとしても利用でき、場所もとらない。
【図面の簡単な説明】
【０００８】
【図１】フード付き衣類用ハンガー組み合わせ時の見取図
【図２】ハンガー本体の切り欠き部
【図３】かけ止め具の内側に切り欠き部がある場合
【図４】溝のあるフード掛け部
【図５】溝のあるフード掛け部とハンガーを組み合わせた見取図
【図６】左右つながっていないフード掛け部
【図７】フード付き衣類ハンガーで衣類を干した時の見取図
【図８】フード掛け部を折りたたんだ時の見取図
【符号の説明】１．フード掛け部
２．ハンガー本体
３．かけ止め具
４．切り欠き部
５．フード掛け部の溝
６．フード付衣類
【発明を実施するための形態】
【０００９】ハンガー本体前部にハンガー本体（２）とフード掛け部（１）をつなぐかけ止め具（３）を設ける。このかけ止め具に、フード掛け部を挿通させることで、フード掛け部は前後に回転可能となる。ハンガー本体肩部左右に傾斜のある切り欠き部（４）を設け、フード掛け部を後ろに回転させた際、フード掛け部の支えとなる構造である。使用する際は、フード掛け部にフードをかぶせると切り欠き部によって安定した傾斜状態にあるため立体的に通風のよい状態で干すことができる。フード掛け部を前に戻すと普通のハンガーとして利用でき場所もとらない。
【００１０】また、図４、図５に示すとおり、ハンガー本体肩部に切り欠き部を設けない場合、フード掛け部がハンガー本体肩部と接する部分に溝を作れば、フード掛け部を後ろに回転させた際、ハンガー本体とフード掛け部が着止した状態を保つことができる。
【００１１】ここでいうフード掛け部とは、半円、円形、だ円、三角、四角、台形など輪状になったものや、左右につながっていない腕状のもの（図６）、衣類のずり落ち防止のため上部に湾曲したものも含まれるものとする。
【００１２】フード掛け部とハンガー本体をつなぐかけ止め具はフード掛け部を挿通させるリング状のものや、溝穴として本体に組み込まれたもの、ネジ状のものなどフード掛け部が回転可能となる形状のものである。
【００１３】フード掛け部を支えるハンガー本体の切り欠き部は後部を高く前部を低くした傾斜を有する。
【００１４】ハンガー本体に切り欠き部を作る場合、その位置は、かけ止め具の外側だけでなく、かけ止め具の上方やかけ止め具より内側に作ることもできる。
【００１５】フード掛け部に作る溝は、フード掛け部に彫り込まれた形だけでなく、ハンガー本体肩部の形状に合わせて、湾曲したものも含まれる。
【図１】
2012066039.tif 000003
【図２】
2012066039.tif 000004
【図３】
2012066039.tif 000005
【図４】
2012066039.tif 000006
【図５】
2012066039.tif 000007
【図６】
2012066039.tif 000008
【図７】
2012066039.tif 000009
【図８】
2012066039.tif 000010
(57)【要約】【課題】  濡れた洗濯物を干しているときはベランダの手すりに布団１枚干せるのがやっとだった。また、布団を洗ったときなどは、濡れた布団をかけるとベランダの外壁の汚れで洗った布団が汚れるのではないか気になっていた。【解決手段】  物干し竿をベルトでベランダの手すり（または既存の物干し竿）に固定し、その物干し竿をベランダの手すりや外壁から離すための板を設け、使わないときは専用ケースに入れて本棚などにしまえる省スペース物干し。【選択図】図４
2012066036.tif 000002
【特許請求の範囲】
【請求項１】
物干し竿をベルトでベランダの手すり（または、既存の物干し竿）に固定し、その物干し竿をベランダの手すりや外壁の外側、または、内側から離すための直角のくぼみがある板で構成された物干し。
【発明の詳細な説明】
【技術分野】
【０００１】  本発明は、取り付け工事をせずに使用することができるように工夫した省スペース物干しに関するものである。
【背景技術】
【０００２】  従来の物干しは、ベランダの柵などに取り付け工事をして、ベランダの内側に設置する。
使わないときに折りたたんで高さを低くする物干しもあり、既存の物干し竿にかけてタオルなどを干すステンレス製のハンガーのような物干しも存在する。
【発明の概要】
【発明が解決しようとする課題】
【０００３】  濡れた洗濯物を干しているときはベランダの手すりに布団１枚干せるのがやっとだった。
また、洗濯して濡れている布団を干すときは、ベランダの外壁の汚れが気になっていた。
本発明は、以上の問題点を解決するためになされたものである。
【課題を解決するための手段】
【０００４】  物干し竿をベルトでベランダの手すり（または、既存の物干し竿）に固定し、その物干し竿をベランダの手すりや外壁の外側、または、内側から離すための直角のくぼみがある板を設ける。
以上の構成よりなる物干し。
【発明の効果】
【０００５】  本発明により、布団を干せる物干しがもう１本確保できる。
洗濯して濡れている布団でもベランダ外壁の汚れを気にせずに干すことができ、外壁から布団を離すため、通気性がよくなる。
さらに、使わないときは専用ケースに収納して本棚などにしまうことができる。
【図面の簡単な説明】
【０００６】
【図１】本発明の側面図である。
【図２】本発明の使用状態を示した側面図１である。
【図３】本発明の使用状態を示した側面図２である。
【図４】本発明の斜視図である。
【図５】物干し竿と接触する部分の詳細な説明図である。
【図６】専用ケースで収められた状態の側面図である。
【発明を実施するための形態】
【０００８】  以下にて本発明の実施の形態を説明する。
（イ）物干し竿の固定部であるベルト輪（１）はベランダの外壁・手すりから離すための板（２）の板上部の細い穴（９）を通して先端部分の細い穴（８）から出す。
（ロ）アジャスター（３）は物干し竿にフィットしたベルト輪（１）が必要以上に先端部分の細い穴から出ないようにし、ベルト（４）全体の長さをも調節する役割を果たす。
（ハ）ベルト輪（１）の内側には滑り止めとしてマジックテープ（７）がついているため、この物干しに使う物干し竿につけたマジックテープと付着し、物干し竿が落下することを防止する。
（ニ）ベルトのバックル（５）を外して、ベランダの手すり（１０）、または、既存の物干し（１２）に設けてある既存の物干し竿（１３）にかけてベルトのバックル（５）をはめる。
（ホ）ベランダの手すり（１０）、または、ベランダの外壁（１１）に板（２）の直角部分（６）を当て、ベランダの外側または内側に板（２）を立てた長さ程度の距離をおいてもう１本の物干し竿を設ける。
（ヘ）この省スペース物干しが必要のないときは、専用ケース（１４）に収納し、本棚などにしまう。
本発明は以上のような構造である。
【０００９】  本発明を使用するときを説明する。
（イ）ベルト輪（１）で物干し竿を固定し、ベルトのバックル（５）でベランダの手すりまたは既存の物干し竿に固定する。
（ロ）ベランダの手すり、または、ベランダの外壁に板（２）の直角部分（６）を当てる。
（ハ）ベルトが長すぎ、短すぎないように調節する。
（ニ）以上で設置したもう１本の物干し竿に布団をかけ、洗濯バサミで布団を固定する。
【符号の説明】
【０００９】１  ベルト輪
２  板
３  アジャスター
４  ベルト
５  バックル
６  直角部分
７  滑り止め（マジックテープ）
８  先端部分の細い穴
９  板上部の細い穴
１０  ベランダの手すり
１１  ベランダの外壁
１２  既存の物干し
１３  既存の物干し竿
１４  専用ケース
【図１】
2012066036.tif 000003
【図２】
2012066036.tif 000004
【図３】
2012066036.tif 000005
【図４】
2012066036.tif 000006
【図５】
2012066036.tif 000007
【図６】
2012066036.tif 000008
(57)【要約】【課題】従来構造は、リング状バネを用いてオス部品をメス部品に確実に保持することができ現実的である。これらを更に小型化及び部品点数を最小限にすることは可能なのかを課題とする。【解決手段】筒形ケースと差込部と浮遊部の三点のみで構成されるもので、浮遊部は筒形ケースに浮遊状態で保持され、差込部を挿入するとネックレスの保持が完了し、浮遊部と差込部を押合うことで円柱内部擂鉢形ヘッドは円錐形ヘッドを窄めることができ差込部円柱首と同じ直径になったところで解除し取外すことができる。【選択図】図２
2012066033.tif 000002
【特許請求の範囲】
【請求項１】
貴金属製留め金具に於いて、筒形ケースの片側に浮遊部を浮遊状態で保持することができ、もう一方に切込加工を施されバネ性を与えられた円錐形ヘッドを持つ差込解除自在な差込部から成ることを特徴とするシンプル三点構造の貴金属製留め金具。
【請求項２】
貴金属製留め金具に於いて、筒形ケースの左右内部に差込部の円錐形ヘッドを保持する差込部側引掛り部と浮遊部の円柱内部擂鉢形ヘッドを保持する浮遊部側引掛り部が設けられている。差込部先端には差込部円柱首と差込部円柱首の直径よりやや大きな直径を持つ円錐形ヘッドが備えられ、円錐形ヘッドは円錐形の頂点から差込部円柱首の方向に向かって一箇所以上の切込加工が施されている。浮遊部先端には浮遊部円柱首と浮遊部円柱首の直径よりやや大きな直径を持つ円柱内部擂鉢形ヘッドが備えられ、筒形ケースの内部に浮遊状態で保持される。これらにより差込動作は、差込部の円錐形ヘッドに切込加工を施してバネ性を持たせることで筒形ケースに挿入すると、差込部の円錐形ヘッドは差込部円柱首と同じ直径まで窄めることができ、筒形ケースの差込部側引掛り部に保持される。解除動作は、浮遊部と差込部を押合うことで差込部の円錐形ヘッドは浮遊部の円柱内部擂鉢形ヘッドに押され、差込部の円錐形ヘッドに施された切込加工によりその直径を窄めて差込部円柱首と同じ直径に成るところで筒形ケースから解除し取外すことができることを特徴とする請求項１記載のシンプル三点構造の貴金属製留め金具。
【発明の詳細な説明】
【技術分野】
【０００１】  本発明はネックレス及び装身具連結用の貴金属製留め金具に関する。
【背景技術】
【０００２】  先行技術で、より優れた技術は幾つか存在する（特許文献１参照）。
【先行技術文献】
【特許文献】
【０００３】
【特許文献１】  特開２０１０−１２５３１２号公報（図２）
【発明の概要】
【発明が解決しようとする課題】
【０００４】  従来構造は、リング状バネを用いてオス部品をメス部品に確実に保持することができ現実的である。これらを更に小型化及び部品点数を最小限にすることは可能なのかを課題とする。
【課題を解決するための手段】
【０００５】  上記の目的を達成する為本発明の、シンプル三点構造の貴金属製留め金具は、筒形ケースと差込部と浮遊部の三点のみで構成される。筒形ケースの左右内部に差込部の円錐形ヘッドを保持する差込部側引掛り部と浮遊部の円柱内部擂鉢形へッドを保持する浮遊部側引掛り部が設けられている。差込部先端には差込部円柱首と差込部円柱首の直径よりやや大きな直径を持つ円錐形ヘッドが備えられ、円錐形ヘッドは円錐形の頂点から差込部円柱首の方向に向かって一箇所以上の切込加工が施されている。浮遊部先端には浮遊部円柱首と浮遊部円柱首の直径よりやや大きな直径を持つ円柱内部擂鉢形ヘッドが備えられ、筒形ケースの内部に浮遊状態で保持される。これらにより差込動作は、差込部の円錐形ヘッドに切込加工を施してバネ性を持たせることで筒形ケースに挿入すると、差込部の円錐形ヘッドは差込部円柱首と同じ直径まで窄めることができ、筒形ケースの差込部側引掛り部に保持される。解除動作は、浮遊部と差込部を押合うことで差込部の円錐形ヘッドは浮遊部の円柱内部擂鉢形ヘッドに押され、差込部の円錐形ヘッドに施された切込加工によりその直径を窄めて差込部円柱首と同じ直径に成るところで筒形ケースから解除し取外すことができることを特徴とする。【０００６】  本発明の、シンプル三点構造の貴金属製留め金具は、筒形ケースの片側に浮遊部を浮遊状態で保持することができ、もう一方に切込加工を施されバネ性を与えられた円錐形ヘッドを持つ差込解除自在な差込部から成ることを特徴とする。
【発明の効果】
【０００７】  以上説明した本発明の、シンプル三点構造の貴金属製留め金具を用いることで小型化された部品と三点構造となることでコスト低減及び技術力の保持が可能となり、極めて高い付加価値を生むことに他ならない。
【図面の簡単な説明】
【０００８】
【図１】本発明の、シンプル三点構造の貴金属製留め金具のシンプル三点構造の貴金属製留め金具の正面図ａ及び左側面図ｂ及び右側面図ｃである。
【図２】本発明の、シンプル三点構造の貴金属製留め金具の図１ｄ断面拡大図。
【発明を実施するための形態】
【０００９】  図面を基に本発明を説明すると、筒形ケース１と差込部２と浮遊部３の三点のみで構成される。筒形ケース１の左右内部に差込部２の円錐形ヘッド８を保持する差込部側引掛り部４と浮遊部３の円柱内部擂鉢形ヘッド９を保持する浮遊部側引掛り部５が設けられている。差込部２先端には差込部円柱首６と差込部円柱首６の直径よりやや大きな直径を持つ円錐形ヘッド８が備えられ、円錐形ヘッド８は円錐形の頂点から差込部円柱首６の方向に向かって一箇所以上の切込加工１０が施されている。浮遊部３先端には浮遊部円柱首７と浮遊部円柱首７の直径よりやや大きな直径を持つ円柱内部擂鉢形ヘッド９が備えられ、筒形ケース１の内部に浮遊状態で保持される。これらにより差込動作は、差込部２の円錐形ヘッド８に切込加工１０を施してバネ性を持たせることで筒形ケース１に挿入すると、差込部２の円錐形ヘッド８は差込部円柱首６と同じ直径まで窄めることができ、筒形ケース１の差込部側引掛り部４に保持される。解除動作は、浮遊部３と差込部２を押合うことで差込部２の円錐形ヘッド８は浮遊部３の円柱内部擂鉢形ヘッド９に押され、差込部２の円錐形ヘッド８に施された切込加工１０によりその直径を窄めて差込部円柱首６と同じ直径に成るところで筒形ケース１から解除し取外すことができることを特徴とし、誰でも簡単に取り扱うことができる。
【産業上の利用可能性】
【００１０】  本発明を用いることで筒形ケースの直径は約２ｍｍと極めて精度が高く、他に真似できない品質を求められている。したがって輸出においても有利に働くことが期待できる。
【符号の説明】
【００１１】１    筒形ケース
２    差込部
３    浮遊部
４    差込部側引掛り部
５    浮遊部側引掛り部
６    差込部円柱首
７    浮遊部円柱首
８    円錐形ヘッド
９    円柱内部擂鉢形ヘッド
１０  切込加工
１１  差込部に設けられた接続用穴
１２  浮遊部に設けられた接続用穴
【図１】
2012066033.tif 000003
【図２】
2012066033.tif 000004
(57)【要約】【課題】従来は、動物を帰宅させた際に、その足の部分を清掃する手間が必要だった。また、非清掃の場合は、室内が動物の足の汚れて不便だった。それを動物歩行用の長尺清掃スポンジ棒と短尺清掃ブラシを設置した動物足清掃用具を提供する。【解決手段】パレット台（１）上部全体に突起状清掃長尺スポンジ棒（２）を等間隔で敷き詰め、その間に短尺清掃ブラシ（３）を剣山状に等間隔に敷き詰め取り付けた事を特徴とする。【選択図】図１
2012066037.tif 000002
【特許請求の範囲】
【請求項１】
マット上部に突起状の長尺清掃スポンジと短尺清掃ブラシを剣山構造に敷き詰めた、動物用の足拭きマット清掃器
【発明の詳細な説明】
【技術分野】
【０００１】この発明は、室内で飼育されている動物が、外出し帰宅した際に、動物の足を清掃するために突起状の清掃長尺スポンジ棒との清掃短尺ブラシを全体に敷き詰め設けたマットに関するものである。
【背景技術】
【０００２】従来、室内で飼育されている動物を外出させ散歩し帰宅入室させる際に、動物の汚れた足と足の裏を飼い主が清掃具で清掃する、もしくは液体で洗浄する、または、非清掃で入室させるのが普通である。
そのため適当な動物足用の清掃用具等が無く、足を清掃した際には、直接人間が動物の汚れた足を布製の清掃用具で清掃もしくは、洗浄するので清掃手間を要する。また清掃させず動物を室内へ入室させた際は、室内を動物足裏の汚れで汚したり不衛生というのが現状である。
【発明の開示】
【発明が解決しようとする課題】
【０００３】本発明は、それら欠点をなくして、室内飼育動物を外出させ帰宅させた際に、その不便と不衛生を手間がかからず改善しようと考えたものである。
【課題を解決するための手段】
【０００４】パレット台の上に長尺の棒状・突起清掃スポンジを剣山状取り付け、その根元まわりに短尺の短尺清掃用突起ブラシを敷詰める。
ブラシ素材は、ナイロン系素材、ポリエチレン系プラスチック素材、天然素材だけでなく、清掃用ブラシ素材であればいい。
以上の構成よりなる長尺清掃用棒状スポンジ突起と短尺清掃ブラシを敷き詰めた動物歩行可能の清掃用具である。
【発明の効果】
【０００５】足の汚れを拭く清掃用の長尺清掃スポンジ棒と小石・砂等の微小な付着物を落とす短尺清掃ブラシが剣山状にパレットの上部に敷き詰めているので、動物を帰宅させた際にその上を歩行させるだけで動物の足部分の清掃をする手間が省ける。
長尺清掃スポンジ棒・短尺清掃ブラシ及びパレット形状は、大小問わず動物の大きさにより使用し易い形状大きさであればよい。
【発明を実施するための最良の形態】
【０００６】以下、本発明の実施例について説明する。
パレット台（１）上部全体に突起状清掃長尺スポンジ棒（２）を等間隔で敷き詰める。
パレット上に複数敷き詰められた突起状清掃長尺スポンジ棒（２）と突起状清掃長尺スポンジ棒（２）´の間に短尺清掃ブラシ（３）を剣山状に等間隔に敷き詰め固定する。
本発明は、以上のような構造でこれを使用する時は、玄関などの室内入り口付近に本発明を設置して、帰宅した動物をその上部を歩行させる事により動物の足部分の清掃を行えばいい。
なお、本発明の短尺清掃ブラシ（３）は、小石や砂等の汚れを落とせる清掃効果の高い硬質な繊維でもよい。
【図面の簡単な説明】
【０００７】
【図１】本発明の斜視図である。
【図２】本発明の図１のＡ−Ｂ線の断面図である。
【符号の説明】
【０００８】１  パレット台
２  突起状清掃長尺スポンジ棒
３  短尺清掃ブラシ
【図１】
2012066037.tif 000003
【図２】
2012066037.tif 000004
(57)【要約】【課題】軽量で携帯性が良く、乳幼児、高齢者、要介護者などが食事をする際に、家庭にある食器に取り付けて使用できる食べこぼし防止用具を提供する。【解決手段】全体が伸縮可能なゴム素材からなり、食器上縁部の外周を取り巻く壁部と、食べこぼし防止のために食器内側空間に向けて突出した壁部を備えていることを特徴とし、またその伸縮力、摩擦力、防滑力によって異なる大きさの食器にも安定して固定される食べこぼし防止用具。【選択図】図１
2012066035.tif 000002
【特許請求の範囲】
【請求項１】
全体が伸縮可能なゴム素材からなり、食器上縁部の外周を取り巻く壁部と、食べこぼし防止のために食器内側空間に向けて突出した壁部を備えていることを特徴とする食べこぼし防止用具。
【発明の詳細な説明】
【技術分野】
【０００１】  この発明は、乳幼児、高齢者、要介護者などが食事をする際に食器に取り付け、食べこぼしを防止するための用具に関するものである。
【背景技術】
【０００２】  従来の食べこぼし防止用具としては、食器内側に食べこぼしを防止する突起を形成した食器があった。
【先行技術文献】
【特許文献】
【０００３】
【特許文献１】特開平８−２９４４３８号公報
【発明の概要】
【発明が解決しようとする課題】
【０００４】  しかしながら、食器本体に食べこぼし防止機能を持たせた食器では、食器本体を持ち運ぶ必要があり外食や旅行などでの携帯性が悪く、その場ですぐに洗えないなど衛生面での問題、また食器を新たに買い足さなければならず購入コストがかかる欠点があった。
そこで、この発明は、軽量で携帯性が良く家庭にある食器に取り付けて使用できる食べこぼし防止用具を提供することを課題とする。
【課題を解決するための手段】
【０００５】  本発明は、全体が伸縮可能なゴム素材からなり、食器上縁部の外周を取り巻く壁部と、食べこぼし防止のために食器内側空間に向けて突出した壁部を備えていることを特徴とし、またその伸縮力、摩擦力、防滑力によって異なる大きさの食器にも安定して固定されることを特徴とする食べこぼし防止用具に係るものである。【０００６】  「ゴム素材」としては、天然ゴムないし合成ゴムからなるものの他に、ポリウレタン、シリコン等が該当する。これらに共通する属性として、屈曲ないし伸縮性、密着性、防滑性等がある。
【発明の効果】
【０００８】  本発明により、新たに専用食器を購入せずとも既存の食器に簡単に食べこぼし防止用具を取り付ける事ができ、外出先や旅行先で乳幼児、高齢者、要介護者および使用者を介助する人が手軽にこれを用いて楽に食事をする事が可能となる。【０００９】  ゴム素材である事から軽量で携帯性が良く、汚れればすぐに洗浄が可能であり、耐久性があり万が一破損しても使用者が怪我をする心配が少なく、低コストであるなど、多大な効果がある。
【図面の簡単な説明】
【００１０】
【図１】本発明の一実施形態を示す斜視図である。
【図２】本発明の一実施形態を示す断面図である。
【発明を実施するための形態】
【００１１】  以下、本発明を実施するための形態について説明する。
図１に示すように、食べこぼしを防止するために食器内側空間側（ａ）に一部突出する壁部（以下、「防止壁部」と称する。）（１）と、食器への着脱、固定を行うために筒輪状に形成された壁部（２、３）と、食器への着脱を補助する耳状突起（４Ａ、４Ｂ）から構成する。
【００１２】  防止壁部（１）は全てが食器内側空間に突出してしまうとスプーンの挿入の妨げになるため、防止壁部（１）は全周の半分程度とするのが望ましい。
【００１３】  耳状突起（４Ａ、４Ｂ）を左右に引き伸ばしながら食器の周壁に取り付けて図１に示す状態にして使用する。この耳状の突起物がある事によって、容易に着脱が可能となっている。
【００１４】  図２に示すように、スプーンで食物をすくい、そのままスプーン先端を防止壁部（１）に押し当てながら上に移動させる事で、スプーンを引き上げる際に多すぎる食物は食器内側空間（ａ）に落下し、完全に引き上げた後もスプーンが食器内側空間（ａ）より外側に出ない為、食物が食器の外側にこぼれ出ることが防止される。
【００１５】  このとき、防止壁部（１）にはスプーンを外側に押す力が加わるため、防止壁部（１）および防止壁部の下側に位置する部分（２）には、硬質なゴム素材を使用するもしくは厚みを増やすことで屈曲が少なくなり、食器と壁部の間に隙間が生じて食べ物が入り込む、または用具が外れてしまう事を防止する事ができる。
【００１６】  本実施例では、図１で示す境界線（５）で硬質なゴム素材部（１、２）と伸縮性のあるゴム素材部（３）に分けて構成している。
【００１７】  また、防止壁部（１）が水平に突出していると、スプーンが滑らかに引き上げられず、過分に食物を落下させる事になるので、防止壁部（１）の内側（６）は曲線を描いていることが望ましい。
【００１８】「他の実施形態」
本実施例では、洗浄時に洗い残しが少なく衛生的な一体型の筒輪状態としているが、両端にマジックテープまたは留め具を設け、食器に巻き付けて取り付ける形状としてもよい。
【符号の説明】
【００１９】１    食べこぼし防止壁部（硬質ゴム素材）
２    壁部（硬質ゴム素材）
３    壁部（伸縮ゴム素材）
４Ａ  耳状突起
４Ｂ  耳状突起
５    境界線
６    防止壁部内側
７    食器
ａ    食器内側空間
【図１】
2012066035.tif 000003
【図２】
2012066035.tif 000004
(57)【要約】【課題】  従来、身体の部位をアクセサリーの一部として組み合わせることで機能させ、遊べるアクセサリーや人形はなかった。アクセサリー本体に穴を設け、ここに身体の一部をあてがい、デザインの一部とし、その意外性を楽しみながら、コミュニケーションの手段として、本発明を提供する。【解決手段】アクセサリー本体の穴にヒジや各部位にできるシワ等をあてがい、本体のデザインの一部が組み合わさることで、ユーモラスなコミュニケーションの手段を目的とする。【選択図】図１
2012066034.tif 000002
【特許請求の範囲】
【請求項１】
人形の形をした胴体の一部に穴を設けたことを特徴とする、身体部位を活用した遊具
【発明の詳細な説明】
【技術分野】
【０００１】  本発明は、人形の形をした本体の胴体の一部に穴を設け、身体の各部位にできるシワ等を利用し、遊具として使用するものである。
【背景技術】
【０００２】  形状やデザイン、イラスト等で楽しさを表現するアクセサリーや人形は多数存在しているが、身体の部位を遊具の一部として表現し、楽しむアクセサリーは存在しなかった。
【先行技術文献】
【０００３】
【特許文献１】
【発明の概要】
【発明が解決しようとする課題】
【０００４】  使用者自身の身体の部位を穴にあてがい、アクセサリーの一部として参加、形成し楽しさを表現する遊具は従来なかった。簡単にわかりやすいユーモラスなコミュニケーションの道具として使用できる。
【課題を解決するための手段】
【０００５】  人形本体に胴体の一部に穴を設けたことを特徴とする、身体部位を活用した遊具。
【発明の効果】
【０００６】  老若男女、職業や宗教、社会的地位などに関係なく、誰でもが身体的に備わっている身体の一部を既存のイラストや写真にあてがうことで、円満、円滑なコミュニケーションが可能となる。  また、アクセサリーやキーホルダー、文具などに活用することで、生活の中に潤いや癒しを与えることができる。
【図面の簡単な説明】
【０００７】
【図１】本発明の斜視図
【図２】本発明の使用状態を示す図
【図１】
2012066034.tif 000003
【図２】
2012066034.tif 000004
(57)【要約】【課題】簡易に製作でき、用途・嗜好に応じて模様を付すことが容易な化粧金属板を提供する。【解決手段】表層フィルム５と下層フィルム３を着色接着剤層６により接合してなる化粧フィルムを貼付した化粧金属板１０であって、表層フィルム５は透明であるとともに屈曲凹凸が形成されており、着色接着剤層６が着色されている。表層フィルム５の凹凸は屈曲により等肉厚で形成されており、下層フィルム３はフラット状である。着色接着剤層６の厚みがエンボスの屈曲による凹凸の深さにより変化し、着色接着剤層６にも濃淡が生じる。【選択図】図１
2012066475.tif 000002
【特許請求の範囲】
【請求項１】
表層フィルムと下層フィルムを接着剤層により接合してなる化粧フィルムを貼付した化粧金属板であって、表層フィルムは透明であるとともに屈曲凹凸が形成されており、接着剤層が着色されていることを特徴とする化粧金属板。
【発明の詳細な説明】
【技術分野】
【０００１】
本発明は、化粧金属板に関するものである。本発明に適した化粧金属板としては、例えば浴室の壁パネルに用いられる化粧鋼板が挙げられる。
【背景技術】
【０００２】
図２に、従来の化粧金属板２０の一般的な断面形状を模式的に示す。その断面形状は、裏面側から、バックコート層１、金属板（例えば鋼板）２、下層フィルム３、透明接着剤層４、表層フィルム５である。下層フィルム３には印刷が施され、表層フィルム５は透明である。これは、透明接着剤４により２枚のフィルム３，５を貼り合せてなる化粧フィルム７を金属板２に貼付し、表層下の印刷により化粧表現するものである。
【０００３】
表層フィルム５は、エンボス加工されているものも、フラット状のものもあるが、いずれにしても、表層フィルム５と下層フィルム３とを接合している接着剤層４は、透明であり、下層フィルム３への印刷により、化粧フィルム７の模様が形成されている。なお、本願において、「模様」という語は、絵、柄、文字等も含むものとする。
【０００４】
また、特許文献１及び特許文献２に、従来の化粧金属板の具体的構成が開示されている。
【先行技術文献】
【特許文献】
【０００５】
【特許文献１】特開２００２−２２５１８６号公報
【特許文献２】特開２０００−３２６４４３号公報
【発明の概要】
【発明が解決しようとする課題】
【０００６】
かかる従来の化粧金属板では、下層フィルムに印刷を施す工程が必要であり、製作が煩雑であった。また、下層フィルムに印刷された模様によって化粧金属板の模様が決定されるので、化粧金属板へのフィルム貼付後に用途・嗜好に応じて模様を付すことができなかった。
【０００７】
したがって、本発明が解決しようとする課題は、簡易に製作でき、用途・嗜好に応じて模様を付すことが容易な化粧金属板を提供することである。なお、化粧金属板に関し、清掃性が良いことや、後工程での曲げ加工を行ってもフィルム剥離を生じないことも望ましい。
【課題を解決するための手段】
【０００８】
上記課題を解決するための請求項１の発明は、表層フィルムと下層フィルムを接着剤層により接合してなる化粧フィルムを貼付した化粧金属板であって、表層フィルムは透明であるとともに屈曲凹凸が形成されており、接着剤層が着色されていることを特徴とする化粧金属板である。
【０００９】
表層フィルムに形成された屈曲凹凸は、表層フィルムの肉厚の差により形成されるものでなく、表層フィルムの屈曲により形成されるもので、表層フィルムは肉厚が等肉厚でなるものである。
【００１０】
接着剤層の厚みは、特に限定するものではないが、２０±１０μｍであることが好ましい。接着剤層への着色方法は、これも限定するものではないが、例えば接着剤に顔料を混合することにより行うことができる。
【発明の効果】
【００１１】
本発明の化粧金属板は、着色接着剤層の厚みが場所によって異なる。したがって、接着剤層の厚みの大小により下層の隠蔽性を変化させることができるので、予め模様の印刷をしないでも模様を付することが可能となる。また、同一構成の化粧金属板に、異なった型によりエンボス加工をすることによって、表層フィルムの屈曲により等肉厚で凹凸を形成し、着色接着剤層の厚みを場所によって異なったものとし、その結果模様を付与することができるものである。すなわち、簡易に製作でき、用途・嗜好に応じて模様を付すことが容易である。
【図面の簡単な説明】
【００１２】
【図１】本発明の化粧金属板の断面図である。
【図２】従来技術の化粧金属板の断面図である。
【発明を実施するための形態】
【００１３】
本発明の実施形態について説明する。図１に本発明の一実施形態である化粧金属板（化粧鋼板）１０の断面形状を示す。その断面形状は、裏面側から、バックコート層１、金属板（鋼板）２、下層フィルム３、着色接着剤層６、表層フィルム５である。下層フィルム３は着色接着剤層６によって表層フィルム５と接合され、化粧フィルム７を形成している。表層フィルム５は透明であって例えばエンボス加工により凹凸が形成されている。この表層フィルム５の凹凸は屈曲により等肉厚で形成されており、下層フィルム３はフラット状である。
【００１４】
したがって、着色接着剤層６の厚みがエンボスの屈曲による凹凸の深さにより変化し、着色接着剤層６にも濃淡が生じる。下層フィルム３としては、金属板２の生地の色ムラを隠蔽することを目的とし、着色フィルムが使用されている。なお、バックコート層１は、用途によっては略してもよい。表層フィルム５の着色接着剤層６による貼着は、減圧下において行うことにより、気泡の混入を防ぐことができる。
【００１５】
着色接着剤層６の厚みは、例えば、厚い所では３０μｍ、薄い所では１０μｍ程度とする。着色接着剤層６が厚い所では下層の色が隠蔽され着色接着剤層６の色が視認され、薄い所では下層の色が視認できるので、接着剤層の厚みによって色あいが異なって見える。したがって、模様の印刷をしないで表面に凹凸を形成することのみで、模様表現が可能となる。
【００１６】
なお、表層フィルム５を鏡面仕上げ、もしくは深さ３０μｍ以下の微細エンボス仕上げにすることにより、清掃性に優れた化粧金属板を製作することができる。
【００１７】
表層フィルム５の材質は、特に限定するものではないが、ＰＥＴフィルム又はポリエステル系フィルムを使用すれば、化粧金属板１０が耐薬品性に優れたものとなる。また表層フィルム５は、無色透明には限定されず、着色接着剤層６が隠蔽されない程度の着色が表層フィルム５に施されていてもかまわない。
【００１８】
なお、化粧フィルム７の総膜厚を２００μｍ以下にすることにより、後工程での曲げ加工を行ってもフィルム剥離を生じない化粧金属板１０を製作することができる。
【００１９】
また、図１記載の実施形態におけるエンボス形状は、二等辺三角形形状、すなわち、一辺の斜度が他辺の斜度とほぼ等しい三角形状であるが、これを、一辺の斜度が大きく、他辺の斜度が小さい三角形状に替えてもよい。或いは、エンボス形状を、サインカーブ形状の波状としてもよい。
【符号の説明】
【００２０】
１    バックコート層
２    金属板
３    下層フィルム
４    透明接着剤層
５    表層フィルム
６    着色接着剤層
７    化粧フィルム
１０  化粧金属板（化粧鋼板）
２０  化粧金属板（化粧鋼板）
【図１】
2012066475.tif 000003
【図２】
2012066475.tif 000004